(57)【要約】      （修正有）【課題】高温の残渣が路面の目地に浸透して路面を傷める、と言うような問題が少ない発炎筒を提供する。【解決手段】原管となる帯状紙１３が糊付け機で糊付けされると共に、その表面紙となる帯状紙１０が含燃焼遅延剤糊付け機で糊付けされ、帯状紙１３と帯状紙１０とがスパイラル巻きにより燃焼遅延手段を有するスパイラル紙管と成されて、スパイラル紙管が発炎剤２と先端部に発火薬・伝火薬２０を有して発炎筒１と成る。発炎剤２が燃え進むと、スパイラル巻きの帯状紙１３と帯状紙１０とは、燃焼遅延剤の作用によって発炎剤２よりも遅く燃え、燃え残る部位が発炎剤２の燃焼残渣の受け皿となる。【選択図】図２
0003224867.tif 000002
【実用新案登録請求の範囲】
【請求項１】
少なくとも発火薬と発炎剤とをスパイラル紙管内に納めた発炎筒であって、前記スパイラル紙管を構成する帯状紙の内、少なくとも最外層となる帯状紙が燃焼遅延剤を含浸させたものである、発炎筒。
【請求項２】
少なくとも発火薬と発炎剤とをスパイラル紙管内に納めた発炎筒であって、前記スパイラル紙管を構成する帯状紙の内、少なくとも最外層となる帯状紙が燃焼遅延剤を塗布したものである、発炎筒。
【請求項３】
印刷インクに燃焼遅延剤を含み、この印刷インクを用いて印刷することにより塗布して成る、請求項２に記載の発炎筒。
【請求項４】
少なくとも発火薬と発炎剤とをスパイラル紙管内に納めた発炎筒であって、前記スパイラル紙管を構成する帯状紙の内、少なくとも最外層となる帯状紙の裏面の接着剤が燃焼遅延剤を含んでいる、発炎筒。
【考案の詳細な説明】
【技術分野】
【０００１】  本考案は、発炎筒の使用中に、高温の残渣が路面の目地に浸透して路面を傷めるような問題が少なくなるような発炎筒に関する。
【背景技術】
【０００２】  従来より走行中の自動車に工事規制や事故の発生を知らせるものとして発炎筒が用いられて来た。一例として紙筒にその前部から順に発火薬、伝火薬、発炎剤が納められたものを上げる。発火薬に点火すると伝火薬を介して発炎剤に引火することになる。【０００３】  なお発炎剤の部位には機械的強度のある固形状伝火薬と、発煙量が少ない粉状発炎剤が順に納められているものもある。発炎筒は着火後に路上に投げるようにして用いられることが多いが、発炎剤が固形状伝火薬と粉状発炎剤とからなる場合では、投擲してから路面に接地するまでの間は固形状伝火薬が燃焼するが、このものは機械的強度に優れているために投擲後の衝撃によって燃焼を中断するおそれがなく、また路面に接地してからは粉状発炎剤が燃焼するが、このものは発煙量が少ないために炎が煙によって見え難くなる問題が少ない、と言った利点がある。【０００４】  このような発炎筒の問題点として、発炎筒の燃焼により、高温の燃焼残渣が路面に固着したり路面の目地に浸透したりすることによって路面（舗装）の耐久性を著しく低下させることなどが上げられる。そうなると路面（舗装）の補修頻度が増え、補修に多くの労力と費用が必要となる。【０００５】  この問題を解決するものとして特開２００５−０１８５１５号の発炎筒の発明がある。このものは発炎筒本体１を、外筒容器２内の中心部に載置し、発炎筒本体１と外筒容器２内面との空隙部に、吸水させた親水性物質、ロックウール、アルミナ、珪酸カルシウム、シリカからなる群から選ばれる少なくとも１種からなる断熱材３を充填させて成る、二重構造の発炎筒である。【０００６】  また上記問題を解決するものとして、特開２０１７−２２４３５２号の、発炎筒を装着する装着面３が溝形状又は樋形状であり、発炎筒の発炎先端部側が長く延びた形状を有すると共に防炎性の紙製のシート状基材からなる燃焼性基材１１で形成された胴体部２と、装着面３と路面との間に設けられた空間構造部４とを有する、発炎筒保持具１を上げる。【０００７】  また上記問題を解決するものとして、特開２０１１−１７０４９７号の発炎筒保持具では、発炎筒を載置する載置面１１を備えた可燃性容器１０にゼリー状不燃性材２０を収容するように構成されている。なお同じような保持具として特開２００３−２８１６３５号の路面損傷防止機能を備えた信号焔管の発明がある。このものは信号焔管１から排出する溶融灰を受けうるように形成されており、信号焔管１に固定された断熱体４と、これ等を囲む円弧形状の姿勢制御体５とから成るものである。
【先行技術文献】
【特許文献】
【０００８】
【特許文献１】特開２００５−０１８５１５号公報
【特許文献２】特開２０１７−２２４３５２号公報
【特許文献３】特開２０１１−１７０４９７号公報
【特許文献４】特開２００３−２８１６３５号公報
【考案の概要】
【考案が解決しようとする課題】
【０００９】  しかしながら、特開２００５−０１８５１５号の発炎筒の発明によれば、断熱材３の中に発炎筒本体１が設けられているため、発炎筒本体１が燃え進むと炎が断熱材３に遮られて大凡一方向からしか見えなくなり、横向きに使用される発炎筒としては信号としての機能を十分に発揮することが出来ないと言う問題がある。なお外筒容器２は、発炎筒本体１の回りに断熱材３を充填する空隙部を必要とするために、外形が太くて構造が複雑なものとなる問題もある。【００１０】  また特開２０１７−２２４３５２号の発炎筒保持具では、装着面３と空間構造部４とから成る皿状の断熱体を路面と発炎筒との間に位置させて丁寧に設置しなくてはならず、急を要する高速道路上の作業などでは設置に手間が掛かり過ぎて、作業がより危険になる問題がある。【００１１】  また特開２０１１−１７０４９７号の発炎筒保持具や特開２００３−２８１６３５号の路面損傷防止機能を備えた信号焔管では、ゼリー状の不燃性材２０を収容する可燃性容器１０を必要としたり断熱体４と円弧形状の姿勢制御体５とを必要とするなど、構造が極めて複雑であり全体の嵩が増してしまう。なお火薬取締法に則った運搬方法を採用せねばならないため、非常に大きな収納容器が必要になると言う問題もある。【００１２】  本考案は、高温の残渣が路面の目地に浸透して路面を傷めるような問題が少ない発炎筒に付いて、収納や運搬や使用に当たり、従来の一般的な発炎筒と同じような使い勝手のものを提供することを課題とするものである。
【課題を解決するための手段】
【００１３】  上記課題の解決に当り当考案者らは、少なくとも発火薬と発炎剤とを筒内に納めた発炎筒であって、前記筒が発炎剤の燃焼よりも燃焼の進み方が遅くなる燃焼遅延手段を有している発炎筒を提供すれば良いとの知見を得た。路上でこの発炎筒の使用状況が発生した場合に、緊急を要するため、発炎筒に着火してからこの発炎筒を路上に置いたり軽く投げるようにして用いる。この筒は言わば一重構造であり、発炎剤が燃え進むと筒が燃焼遅延手段によって発炎剤よりも遅く燃え進むことになるが、筒も燃えて発火口が後退して行くことには変わりがないため、筒が火炎を隠すようなことにはならず、どの方向からでも火炎を目視することが出来る。更に燃焼遅延手段により発炎筒が発炎剤よりも遅く燃え進むため、発炎筒が路上で横置きの状態になると、言わばこの一時的な燃え残りの部分が発炎剤の燃焼残渣の受け皿となり、燃焼残渣が路面の目地に浸透して路面を傷めたり、固着して路面清掃が難しくなったり、また路面に飛散したりすることが少ないものとなっている。すなわち燃焼遅延手段による燃え遅れの筒が一定の時間は燃焼残渣の受け皿となるのであり、この作用効果は発炎剤が燃え尽きるまで継続することになる。なお本考案では筒が発炎剤よりも遅く燃え進むことを難燃と称することも出来るが、むしろ燃焼遅延、遅燃と言う方がより好ましいと考える。【００１４】  すなわち本考案は、前記筒がスパイラル紙管であって、少なくとも最外層となる帯状紙が燃焼遅延剤を含浸させたものとすることによって上記課題を解決する。一般的に多くの紙管がスパイラル紙管であることから、その詳細な説明を省略するが、スパイラル紙管は複数条の帯状紙を一定幅ずつずらしながら斜めに捲回して形成するものである。そこで材料となる帯状紙に燃焼遅延剤を含浸させるようにすると、出来上がりのスパイラル紙管には本考案に必要な燃焼遅延の性質が付与されていることになる。この場合、最外層となる帯状紙に燃焼遅延剤を含浸させたものとすることが出来る。最外層となる帯状紙には図柄や商標や製造ナンバーなどの印刷が施されていることが多いが、このような最外層となる帯状紙に燃焼遅延剤を含浸させるのである。このような構成であってもスパイラル紙管は製品として見れば一重構造のものであると見ることが出来る。以下に述べるスパイラル紙管でも同様の見方が可能である。【００１５】  また本考案は、前記筒がスパイラル紙管であって、少なくとも最外層となる帯状紙が燃焼遅延剤を塗布したものとすることによって上記課題を解決する。帯状紙に燃焼遅延剤を含浸させるのではなく塗布している点が特徴である。これによっても出来上がりのスパイラル紙管には、本考案に必要な燃焼遅延の性質が付与されるのである。【００１６】  ところで上記塗布と言うことの中には印刷と言うことが含まれる。従って燃焼遅延剤を印刷インクに含ませておき、この印刷インクを用いて、スパイラル紙管の帯状紙に、ベタで、細密模様で、文字塗しで、等々必要に応じた態様で燃焼遅延剤を印刷により塗布するのである。【００１７】  また本考案は、少なくとも発火薬と発炎剤とをスパイラル紙管内に納めた発炎筒であって、前記スパイラル紙管を構成する帯状紙の内、少なくとも最外層��なる帯状紙の裏面の接着剤が燃焼遅延剤を含んでいる、発炎筒とすることによって上記課題を解決する。帯状紙に燃焼遅延剤を含浸させたり塗布したりするのではなく、帯状紙を捲回しながら接着してスパイラル紙管に仕立てて行く際の接着剤に燃焼遅延剤を含ませるのである。燃焼遅延性能を有して固化した接着剤の層がスパイラル紙管を被覆していることになり、本考案に必要な燃焼遅延の性質が付与されている。なおこの場合、更に帯状紙そのものが燃焼遅延剤を含んでいても良い。【００１８】  燃焼遅延剤に付いて本考案では、例えば臭素系、難燃高分子系、無機のリン系のもの、含窒素系化合物、水酸化アルミニウム、炭酸カルシウム、スルファミン酸グアニジン、リン酸グアニジン、スルファミン酸アンモンなど、任意のものを使用して良いものとする。また接着剤に付いても市販のものを使用するなど任意である。
【考案の効果】
【００１９】  本考案によれば発炎筒の筒が燃焼の進み方が遅くなる燃焼遅延剤を有しているので、発炎剤が燃え進むと筒が燃焼遅延剤によって発炎剤よりも遅く燃え進むことになるが、筒も燃えて発火口が後退して行くことには変わりがない。すなわち火炎を筒が隠すようなことにはならず、どの方向からでも目視することが出来る。また燃焼遅延剤による燃え遅れの筒が一定の時間は燃焼残渣の受け皿となるのであり、このことは発炎剤が燃え尽きるまで継続する。従って本考案の発炎筒は従来の一般的な発炎筒と同じような使い勝手を実現するのみならず、高温の残渣が路面の目地に浸透して路面を傷めるような問題が少なく、引用した特許文献のどの発炎筒に比してもコスト面やパッケージング面や法制面での優位性がより高いものとなっている。
【図面の簡単な説明】
【００２０】
【図１】  実施例１の発炎筒の説明図である。
【図２】  実施例１の発炎筒を断面視した説明図である。
【図３】  実施例１の発炎筒の製造装置を模式的に表した説明図である。
【図４】  実施例１の発炎筒の製造工程を表した説明図である。
【図５】  実施例１の発炎筒の使用状態を表した説明図である。
【図６】  実施例１の発炎筒の使用状態を表した説明図である。
【図７】  実施例２の発炎筒の製造装置を模式的に表した説明図である。
【図８】  実施例２の発炎筒の製造工程を表した説明図である。
【図９】  実施例３の発炎筒の製造装置を模式的に表した説明図である。
【図１０】  実施例３の発炎筒の製造工程を表した説明図である。
【図１１】  実施例４の発炎筒を断面視した説明図である。
【図１２】  実施例５の発炎筒を断面視した説明図である。
【考案を実施するための形態】
【実施例１】
【００２１】  図１乃至図６で本考案の実施例１を表す。図３は発炎筒１の製造装置を模式的に表したものであり、発炎筒１は原管となる複数枚の帯状紙１３と、その表面紙となる帯状紙１０とをマンドレル３にスパイラル巻きして成るスパイラル紙管である。帯状紙はフープとも称され、マンドレルはシャフトとも称される。【００２２】  原管となる複数条の帯状紙１３はそれぞれ糊付け機３１を通ってマンドレル３に斜めに送られてスパイラル巻きされる。図３では煩雑となるのを避けて模式的に１条分の帯状紙１３で表している。この外側を含燃焼遅延剤糊付け機３０によって、燃焼遅延剤が混入された接着剤が塗布された帯状紙１０が、斜めにかつ上記帯状紙１３の最外層となるようにマンドレル３に送られてスパイラル巻きされる。こうして出来上がったスパイラル紙管はカッターにより裁断され乾燥される。このようなスパイラル紙管は実質的に一重構造であると見做すことが出来る。【００２３】  その後口金加工と共に発炎剤２を詰めて、先端部に発火薬・伝火薬２０を設けることで発炎筒１が完成する。図中符号１２は発炎剤２が抜けないようにするための底部であり、符号１１は発炎剤２に蓋をして発火薬・伝火薬２０を取り付けるための口栓である。この口栓１１も底部１２と同じようにメンコと称呼される場合がある。この製造工程は図４のＳ１〜Ｓ３で表わした。【００２４】  含燃焼遅延剤糊付け機３０によって裏面に、燃焼遅延剤が混入された接着剤が塗布された帯状紙１０は、出来上がりのスパイラル紙管の燃焼遅延の性質を担保する。そこでこの発炎筒１の発火薬・伝火薬２０に点火してからこの発炎筒１を路上に置く。この間に発炎筒１の中では発炎剤２に着火する。発炎剤２が燃え進むと帯状紙１０，１３も同じように燃え進むはずが、帯状紙１０の側に燃焼遅延剤が混入された接着剤が塗布されていることによって発炎剤２よりも遅く燃え進むことになる。この時に燃え残っている部位が発炎剤２の燃焼残渣Ｒの受け皿となり燃焼残渣Ｒの温度が下がるため、燃焼残渣Ｒが路面の目地に浸透して路面を傷めたり、固着して路面清掃が難しくなったり、路面に飛散したりすることが少なくなっている。図５に表した状態から更に発炎剤２が燃え進んだ図６の状態に移行しても、上記と同じように、燃え残っている部位が発炎剤２の燃焼残渣Ｒの受け皿となる。これは発炎剤２が燃え尽きるまで継続する。【００２５】  また図５に表した状態から図６に表した状態に移行する間、帯状紙１０は発炎剤２よりも遅いとは言え燃え進むため、すなわち発火口が自然に後退して行くため、火炎Ｆが隠されるようなことにはならず、どの方向からでも火炎を目視することが出来る。この効果も発炎剤２が燃え尽きるまで継続することになる。
【実施例２】
【００２６】  図７及び図８で本考案の実施例２を表す。上述の実施例１では、含燃焼遅延剤糊付け機３０によって帯状紙１０の裏面に塗布された燃焼遅延剤が混入された接着剤を、すなわち当該接着剤が塗布された帯状紙１０を燃焼遅延手段としていた。本実施例２では帯状紙に燃焼遅延剤を含浸させて成る含燃焼遅延剤帯状紙１４を燃焼遅延手段としている。【００２７】  原管となる複数条の帯状紙１３はそれぞれ糊付け機３１を通ってマンドレル３に斜めに送られてスパイラル巻きされる。図７では煩雑となるのを避けて模式的に１条分の帯状紙１３で表している。この外側を含燃焼遅延剤帯状紙１４が糊付け機３１を通された後に、斜めにかつ上記帯状紙１３の最外層となるようにマンドレル３に送られてスパイラル巻きされる。こうして出来上がったスパイラル紙管はカッターによって裁断され乾燥される。その後実施例１と同様に、口金加工と共に発炎剤２が詰められ、先端部に発火薬・伝火薬２０が取り付けられる。この製造工程は図８のＳ４〜Ｓ６で表わした。
【実施例３】
【００２８】  図９及び図１０で本考案の実施例３を表す。本実施例３では帯状紙１０の表面に含燃焼遅延剤印刷機４を用いて燃焼遅延剤が混入されたインクにより印刷を施している。言わばこの含燃焼遅延剤インクが、すなわちこの含燃焼遅延剤インクで印刷された帯状紙１０が燃焼遅延手段なのである。【００２９】  原管となる複数条の帯状紙１３はそれぞれ糊付け機３１を通ってマンドレル３に斜めに送られてスパイラル巻きされる。図９では煩雑となるのを避けて模式的に１条分の帯状紙１３で表している。この外側を、上記の含燃焼遅延剤印刷機４で表面印刷が施された帯状紙１０が糊付け機３１を通された後に、斜めにかつ上記帯状紙１３の最外層となるようにマンドレル３に送られてスパイラル巻きされる。こうして出来上がったスパイラル紙管はカッターによって裁断され乾燥される。その後実施例１と同様に、口金加工と共に発炎剤２が詰められ、先端部に発火薬・伝火薬２０が取り付けられる。この製造工程は図１０のＳ７〜Ｓ９で表わした。
【実施例４】
【００３０】  図１１で本考案の実施例４を表す。上述の実施例１〜実施例３では、紙筒にスパイラル紙管が用いられていたが、本実施例４の発炎筒５では平巻き紙管が用いられている。すなわち燃焼遅延剤を含浸させた原紙をマンドレル３に送って平巻きにすることで含燃焼遅延剤平巻き筒５０を得る。この含燃焼遅延剤平巻き筒５０が燃焼遅延手段となる。なおこのような平巻き紙管は実質的に一重構造であると見做すことが出来る。【００３１】  その後含燃焼遅延剤平巻き筒５０に口金加工を施すと共に発炎剤２を詰めて、先端部に発火薬・伝火薬２０を設けることで発炎筒５が完成する。図中符号５２は発炎剤２が抜けないようにするための底部であり、符号５１は発炎剤２に蓋をして発火薬・伝火薬２０を取り付けるための口栓である。【００３２】  そこでこの発炎筒５の発火薬・伝火薬２０に点火してからこの発炎筒５を路上に置く。この間にも発炎筒５の中では発炎剤２に着火する。発炎剤２が燃え進むと、含燃焼遅延剤平巻き筒５０は燃焼遅延剤が含浸されていることによって発炎剤２よりも遅く燃え進むことになる。この時に燃え残っている部位が発炎剤２の燃焼残渣Ｒの受け皿となり燃焼残渣Ｒの温度が下がるため、燃焼残渣Ｒが路面の目地に浸透して、路面を傷めたりすることが少なくなることは、上述した実施例１〜実施例３と同じである。なおこの状態は発炎剤２が燃え尽きるまで継続する。【００３３】  なお含燃焼遅延剤平巻き筒５０は発炎剤２よりも遅いとは言え燃え進むため、すなわち発火口が自然に後退して行くため、火炎Ｆが隠されるようなことにはならず、どの方向からでも火炎を目視することが出来るのは、上述の実施例１〜実施例３と同じである。この効果もまた発炎剤２が燃え尽きるまで継続することになる。
【実施例５】
【００３４】  図１２で本考案の実施例５を表す。本実施例の特徴は、再生紙液を圧縮成型してパルプモールド紙管６０を製造し、乾燥後に防水加工を行うと共に燃焼遅延剤を塗布して成る点にある。このパルプモールド紙管６０は言わば一重構造である。なお図１２中符号６３は燃焼遅延剤面である。【００３５】  その後このパルプモールド紙管６０に口金加工を施すと共に発炎剤２を詰めて、先端部に発火薬・伝火薬２０を設けることで発炎筒６が完成する。図中で符号６２は発炎剤２が抜けないようにするための底部であり、また符号６１は発炎剤２に蓋をして発火薬・伝火薬２０を取り付けるための口栓である。【００３６】  この燃焼遅延剤が塗布されたすなわち燃焼遅延剤面６３のあるパルプモールド紙管６０が燃焼遅延手段になる。従って発火薬・伝火薬２０に点火してからの作用効果は、上述した実施例４と同じようである。
【産業上の利用可能性】
【００３７】  本考案は、燃焼遅延剤による燃え遅れの筒がその時の燃焼残渣の受け皿となり、火炎をどの方向からでも目視することが出来る作用効果を有するため、従来のどの発炎筒に比してもコスト面やパッケージング面や法制面での優位性がより高いものとなっており、産業上の貢献度には極めて高いものがある。なお本考案を発煙筒や花火に適用することが可能である。
【符号の説明】
【００３８】１    発炎筒                        １０  帯状紙
１１  口栓                          １２  底部
１３  帯状紙                        １４  含燃焼遅延剤帯状紙
２    発炎剤                        ２０  発火薬・伝火薬
３    マンドレル                    ３０  含燃焼遅延剤糊付け機
３１  糊付け機                      ４    含燃焼遅延剤印刷機
５    発炎筒                        ５０  含燃焼遅延剤平巻き筒
５１  口栓                          ５２  底部
６    発炎筒                        ６０  パルプモールド紙管
６１  口栓                          ６２  底部
６３  燃焼遅延剤面
【図１】
0003224867.tif 000003
【図２】
0003224867.tif 000004
【図３】
0003224867.tif 000005
【図４】
0003224867.tif 000006
【図５】
0003224867.tif 000007
【図６】
0003224867.tif 000008
【図７】
0003224867.tif 000009
【図８】
0003224867.tif 000010
【図９】
0003224867.tif 000011
【図１０】
0003224867.tif 000012
【図１１】
0003224867.tif 000013
【図１２】
0003224867.tif 000014